(57)【特許請求の範囲】
【請求項１】
電話ネットワークを構成する複数の電話交換機が正常に呼接続を行っているか否かを監視する呼接続監視装置において、
上記電話ネットワークの接続回線に接続する回線接続インタフェース手段と、
上記回線接続インタフェース手段に対して複数の仮想的なＩＰアドレスを割り振り、これら複数のＩＰアドレスのそれぞれに擬似電話番号を対応付けて、上記各電話交換機にそれぞれを収容させた擬似的な通信先を複数設定する擬似通信先設定手段と、
設定された上記各擬似通信先の通信先設定情報と予め決定された接続要求順序リストとを少なくとも有する接続要求設定情報を上記擬似通信先毎に保存する設定情報保存手段と、
ある上記擬似通信先を発信先とし他の上記擬似通信先を着信先として上記発信先を収容する上記電話交換機に接続要求を行うものであり、上記接続要求設定情報に基づいて上記接続要求を巡回制御する発信制御手段と、
上記各電話交換機から上記擬似通信先を着信先とする接続要求を受けると、それに対応する応答処理を行う着信制御手段と、
上記発信制御手段による処理結果に基づいて、上記各電話交換機による呼接続の正常性を出力する監視結果出力手段と
を備え、
上記疑似通信先設定手段が、呼接続の対象とする発信先と着信先とが同一の上記電話交換機とする局内通話の設定と、呼接続の対象とする発信先と着信先とがそれぞれ異なる上記電話交換機とする複数の電話交換機間の局間通話の設定とを行うものであり、
上記監視結果出力手段は、上記局内通話での上記電話交換機による呼接続の正常性と、上記局間通話での上記電話交換機による呼接続の正常性との監視結果を、マトリックス形式で表示するマトリックス表示画面処理を行うものである
ことを特徴とする呼接続監視装置。
【請求項２】
上記接続要求設定情報は、各呼の通話時間情報と次の接続先へ発呼するための発呼間隔情報とを有し、
上記発信制御手段は、上記通話時間情報及び上記発呼間隔情報に従って接続要求の発信及び切断処理を行う
ことを特徴とする請求項１に記載の呼接続監視装置。
【請求項３】
電話ネットワークを構成する複数の電話交換機が正常に呼接続を行っているか否かを監視する呼接続監視方法において、
擬似通信先設定手段が、上記電話ネットワークの接続回線に接続する回線接続インタフェース手段に対して複数の仮想的なＩＰアドレスを割り振り、これら複数のＩＰアドレスのそれぞれに擬似電話番号を対応付けて、上記各電話交換機にそれぞれを収容させた擬似的な通信先を複数設定する擬似通信先設定工程と、
設定情報保存手段が、設定された上記各擬似通信先の通信先設定情報と予め決定された接続要求順序リストとを少なくとも有する接続要求設定情報を上記擬似通信先毎に保存する設定情報保存工程と、
発信制御手段が、ある上記擬似通信先を発信先とし他の上記擬似通信先を着信先として上記発信先を収容する上記電話交換機に接続要求を行うものであり、上記接続要求設定情報に基づいて上記接続要求を巡回制御する発信制御工程と、
着信制御手段が、上記各電話交換機から上記擬似通信先を着信先とする接続要求を受けると、それに対応する応答処理を行う着信制御工程と、
監視結果出力手段が、上記発信制御手段による処理結果に基づいて、上記各電話交換機による呼接続の正常性を出力する監視結果出力工程と
を備え、
上記疑似通信先設定手段が、呼接続の対象とする発信先と着信先とが同一の上記電話交換機とする局内通話の設定と、呼接続の対象とする発信先と着信先とがそれぞれ異なる上記電話交換機とする複数の電話交換機間の局間通話の設定とを行う工程を有し、
上記監視結果出力手段が、上記局内通話での上記電話交換機による呼接続の正常性と、上記局間通話での上記電話交換機による呼接続の正常性との監視結果を、マトリックス形式で表示するマトリックス表示画面処理を行う工程を有する
ことを特徴とする呼接続監視方法。
【請求項４】
電話ネットワークを構成する複数の電話交換機が正常に呼接続を行っているか否かを監視する呼接続監視プログラムにおいて、
コンピュータに、
上記電話ネットワークの接続回線に接続する回線接続インタフェース手段に対して複数の仮想的なＩＰアドレスを割り振り、これら複数のＩＰアドレスのそれぞれに擬似電話番号を対応付けて、上記各電話交換機にそれぞれを収容させた擬似的な通信先を複数設定する擬似通信先設定機能、
設定された上記各擬似通信先の通信先設定情報と予め決定された接続要求順序リストとを少なくとも有する接続要求設定情報を上記擬似通信先毎に保存する設定情報保存機能、  ある上記擬似通信先を発信先とし他の上記擬似通信先を着信先として上記発信先を収容する上記電話交換機に接続要求を行うものであり、上記接続要求設定情報に基づいて上記接続要求を巡回制御する発信制御機能、
上記各電話交換機から上記擬似通信先を着信先とする接続要求を受けると、それに対応する応答処理を行う着信制御機能、
上記発信制御手段による処理結果に基づいて、上記各電話交換機による呼接続の正常性を出力する監視結果出力機能
として機能させ、
上記疑似通信先設定機能が、呼接続の対象とする発信先と着信先とが同一の上記電話交換機とする局内通話の設定と、呼接続の対象とする発信先と着信先とがそれぞれ異なる上記電話交換機とする複数の電話交換機間の局間通話の設定とを行うものであり、
上記監視結果出力機能は、上記局内通話での上記電話交換機による呼接続の正常性と、上記局間通話での上記電話交換機による呼接続の正常性との監視結果を、マトリックス形式で表示するマトリックス表示画面処理を行うものである
ことを特徴とすることを特徴とする呼接続監視プログラム。
【請求項５】
電話ネットワークを構成する複数の電話交換機が提供するアプリケーションの正常動作を検知する動作検知システムにおいて、請求項１又は２に記載の呼接続監視装置を備え、常時又は定期的に上記呼接続監視装置から取得した監視結果に基づいて、アプリケーションの正常動作を検知することを特徴とする動作検知システム。
【発明の詳細な説明】
【技術分野】
【０００１】
本発明は呼接続監視装置、呼接続監視方法、呼接続監視プログラム及び動作検知システムに関し、例えば、ＩＰ（インタネットプロトコル）電話サービスを提供するいわゆるＩＰ電話交換機のアプリケーションの異常を検知するシステムに適用し得る。
【背景技術】
【０００２】
近年、いわゆるＩＰ電話の急速な普及により、ＩＰ電話は従来の固定電話（例えば、アナログ／ＩＳＤＮ等）と同レベルの信頼性が求められている。そのため、ＩＰ電話サービスを提供する装置（特にＩＰ電話交換機）が正常に機能しているか否かの確認をする必要がある。
【０００３】
一般に、基本電話サービス（電話の発着信サービス）やその他各種付加サービス（例えば特許文献２参照）を提供する装置（ＩＰ電話交換機）には汎用サーバが用いられており、このようなサーバの死活監視方法として、監視システム（監視装置）がＰＩＮＧを用いる方法がある。しかしながら、ＰＩＮＧを用いる方法は物理的な回線の正常性を判断することはできるが、サーバ上のＯＳ（オペレーティングシステム）がＰＩＮＧの制御を行っているため、その上位に位置するアプリケーションの異常（例えば、無限ループ状態、輻輳状態、アプリケーションデータ異常等によるサービス提供不可状態等）までを検知することができない。
【０００４】
そこで、現状は、ＩＰ電話サービスの正常性を確認する方法として、特許文献１又は図２に示すように、ユーザ端末と同等の試験用電話機若しくは呼接続試験機を全てのＩＰ電話交換機に設置し、常時又は定期的に呼接続サービスを確認することが最も有効となっている。
【０００５】
従来の監視システムについて、例えば図２を参照して簡単に説明すると、予めＩＰ電話交換機２−１〜２−５のそれぞれに試験用電話機３−１〜３−１０を収容させておく。
【０００６】
そして、運用管理センタＣＴにおける監視者が、試験用電話機３を操作して他の全ての試験用電話機３への発信を実施し、呼接続が正常に行われているか否かを手作業で確認している。
【０００７】
この作業を全ての試験用電話機３について行い、全ての組合せパターンにおいて、局内通話の正常性の確認（例えば試験用電話機（＃５）３−５から試験用電話機（＃６）３−６への呼接続の確認）や、局間通話の正常性の確認（例えば、試験用電話機（＃７）３−７から試験用電話機（＃１０）３−１０への呼接続の確認）をしている。
【０００８】
【特許文献１】特開平６−３５０７０３号公報
【特許文献２】特開２００３−６０８０７号公報
【発明の開示】
【発明が解決しようとする課題】
【０００９】
上述したように、従来の監視方法は、全ての試験用電話機の組合せについて手作業で行っているため、監視者の負担が大きく、また監視に要する時間及びコストも大きい。
【００１０】
特に、ＩＰ電話システムが大規模になるに従い、ＩＰ電話交換機の台数が増大し、そのために収容する試験用電話機の台数も増大するので、全ての試験用電話機同士の呼接続確認パターンも膨大になり、監視者の負担、監視に要する時間及びコストが更に増大する。
【００１１】
そのため、人手で行っている呼接続確認を自動化及び高速化することと、１つの呼接続試験装置で、複数のノード（ＩＰ電話交換機等）の呼接続試験を可能とし、迅速なシステム障害の検知及びＩＰ電話システムの保守運用監視のコスト削減することができる呼接続監視装置、呼接続監視方法、呼接続監視プログラム及び動作検知システムが求められている。
【課題を解決するための手段】
【００１２】
かかる課題を解決するために、第１の本発明の呼接続監視装置は、電話ネットワークを構成する複数の電話交換機が正常に呼接続を行っているか否かを監視する呼接続監視装置において、（１）電話ネットワークの接続回線に接続する回線接続インタフェース手段と、（２）回線接続インタフェース手段に対して複数の仮想的なＩＰアドレスを割り振り、これら複数のＩＰアドレスのそれぞれに擬似電話番号を対応付けて、各電話交換機にそれぞれを収容させた擬似的な通信先を複数設定する擬似通信先設定手段と、（３）設定された各擬似通信先の通信先設定情報と予め決定された接続要求順序リストとを少なくとも有する接続要求設定情報を擬似通信先毎に保存する設定情報保存手段と、（４）ある擬似通信先を発信先とし他の擬似通信先を着信先として発信先を収容する電話交換機に接続要求を行うものであり、接続要求設定情報に基づいて接続要求を巡回制御する発信制御手段と、（５）各電話交換機から擬似通信先を着信先とする接続要求を受けると、それに対応する応答処理を行う着信制御手段と、（６）発信制御手段による処理結果に基づいて、各電話交換機による呼接続の正常性を出力する監視結果出力手段とを備え、（７）疑似通信先設定手段が、呼接続の対象とする発信先と着信先とが同一の電話交換機とする局内通話の設定と、呼接続の対象とする発信先と着信先とがそれぞれ異なる電話交換機とする複数の電話交換機間の局間通話の設定とを行うものであり、（８）監視結果出力手段は、局内通話での電話交換機による呼接続の正常性と、局間通話での電話交換機による呼接続の正常性との監視結果を、マトリックス形式で表示するマトリックス表示画面処理を行うものであることを特徴とする。
【００１３】
第２の本発明の呼接続監視方法は、電話ネットワークを構成する複数の電話交換機が正常に呼接続を行っているか否かを監視する呼接続監視方法において、（１）擬似通信先設定手段が、電話ネットワークの接続回線に接続する回線接続インタフェース手段に対して複数の仮想的なＩＰアドレスを割り振り、これら複数のＩＰアドレスのそれぞれに擬似電話番号を対応付けて、各電話交換機にそれぞれを収容させた擬似的な通信先を複数設定する擬似通信先設定工程と、（２）設定情報保存手段が、設定された各擬似通信先の通信先設定情報と予め決定された接続要求順序リストとを少なくとも有する接続要求設定情報を擬似通信先毎に保存する設定情報保存工程と、（３）発信制御手段が、ある擬似通信先を発信先とし他の擬似通信先を着信先として発信先を収容する電話交換機に接続要求を行うものであり、接続要求設定情報に基づいて接続要求を巡回制御する発信制御工程と、（４）着信制御手段が、各電話交換機から擬似通信先を着信先とする接続要求を受けると、それに対応する応答処理を行う着信制御工程と、（５）監視結果出力手段が、発信制御手段による処理結果に基づいて、各電話交換機による呼接続の正常性を出力する監視結果出力工程とを備え、（６）疑似通信先設定手段が、呼接続の対象とする発信先と着信先とが同一の電話交換機とする局内通話の設定と、呼接続の対象とする発信先と着信先とがそれぞれ異なる電話交換機とする複数の電話交換機間の局間通話の設定とを行う工程を有し、（７）監視結果出力手段が、局内通話での電話交換機による呼接続の正常性と、局間通話での電話交換機による呼接続の正常性との監視結果を、マトリックス形式で表示するマトリックス表示画面処理を行う工程を有することを特徴とする。
【００１４】
第３の本発明の呼接続監視プログラムは、電話ネットワークを構成する複数の電話交換機が正常に呼接続を行っているか否かを監視する呼接続監視プログラムにおいて、コンピュータに、（１）電話ネットワークの接続回線に接続する回線接続インタフェース手段に対して複数の仮想的なＩＰアドレスを割り振り、これら複数のＩＰアドレスのそれぞれに擬似電話番号を対応付けて、各電話交換機にそれぞれを収容させた擬似的な通信先を複数設定する擬似通信先設定機能、（２）設定された各擬似通信先の通信先設定情報と予め決定された接続要求順序リストとを少なくとも有する接続要求設定情報を擬似通信先毎に保存する設定情報保存機能、（３）ある擬似通信先を発信先とし他の擬似通信先を着信先として発信先を収容する電話交換機に接続要求を行うものであり、接続要求設定情報に基づいて接続要求を巡回制御する発信制御機能、（４）各電話交換機から擬似通信先を着信先とする接続要求を受けると、それに対応する応答処理を行う着信制御機能、（５）発信制御手段による処理結果に基づいて、各電話交換機による呼接続の正常性を出力する監視結果出力機能として機能させ、（６）疑似通信先設定機能が、呼接続の対象とする発信先と着信先とが同一の電話交換機とする局内通話の設定と、呼接続の対象とする発信先と着信先とがそれぞれ異なる電話交換機とする複数の電話交換機間の局間通話の設定とを行うものであり、（７）監視結果出力機能は、局内通話での上記電話交換機による呼接続の正常性と、局間通話での電話交換機による呼接続の正常性との監視結果を、マトリックス形式で表示するマトリックス表示画面処理を行うものであることを特徴とすることを特徴とする。
【００１５】
第４の本発明の動作検知システムは、電話ネットワークを構成する複数の電話交換機が提供するアプリケーションの正常動作を検知する動作検知システムにおいて、請求項１又は２に記載の呼接続監視装置を備え、常時又は定期的に上記呼接続監視装置から取得した監視結果に基づいて、アプリケーションの正常動作を検知することを特徴とする。
【発明の効果】
【００１６】
本発明によれば、人手で行っている呼接続確認を自動化及び高速化することと、１つの呼接続監視装置で、複数の電話交換機の呼接続試験を可能とし、迅速なシステム障害の検知及びＩＰ電話システムの保守運用監視のコスト削減することができる。
【発明を実施するための最良の形態】
【００１７】
（Ａ）第１の実施形態
以下、本発明の呼接続監視装置、呼接続監視方法、呼接続監視プログラム及び動作検知システムの第１の実施形態を図面を参照して説明する。
【００１８】
本実施形態は、シグナリングプロトコルとして、ＩＰ電話交換機と自動呼接続装置との間にはＭＧＣＰ（Media  Gateway  Control  Protocol）を採用し、ＩＰ電話交換機間にはＳＩＰ（Session  Initiation  Protocol）を採用したＩＰ電話ネットワークに本発明を適用した場合を説明する。
【００１９】
（Ａ−１）第１の実施形態の構成
図１は、本実施形態の呼接続確認システムの全体構成を示す構成図である。
【００２０】
図１において、本実施形態の呼接続確認システムは、ＩＰ電話ネットワーク４上に配備されている複数（本実施形態では５台）のＩＰ電話交換機２−１〜２−５と、自動呼接続確認装置１とを有して構成される。なお、呼接続動作の正常性を監視されるＩＰ電話交換機２の数は、特に限定されず、ＩＰ電話ネットワークに規模に応じて決めることができる。
【００２１】
自動呼接続確認装置１は、複数のＩＰ電話交換機２−１〜２−５のそれぞれに接続するものであり、各ＩＰ電話交換機２−１〜２−５が呼接続動作（サービス）を正常に実施しているか否かを自動的に監視し、その監視結果を出力するものである。なお、自動呼接続確認装置１は例えばパソコンやワークステーション等の情報処理装置が該当する。
【００２２】
以下では、自動呼接続確認装置１の内部構成について図面を参照して説明する。図３は、自動呼接続確認装置１の主なハードウェア構成を示すブロック図であり、図４は、自動呼接続装置１が実現する主な機能構成を示す機能ブロック図である。
【００２３】
図３において、自動呼接続確認装置１は、制御部１３、記憶部１４、通信部１５を少なくとも有して構成される。
【００２４】
制御部１３は、例えばＣＰＵ等が該当し、記憶部１４は、例えば、ＲＯＭ、ＲＡＭ（ＥＥＰＲＯＭ等の不揮発性書き換え可能メモリを含む概念）等が該当し、これらが自動呼接続装置１全体の制御機能を司っているものである。例えば、制御部１３は、ＲＡＭをワーキングエリアとし、ＲＯＭに格納されている固定データやＲＡＭに格納されているテンポラリデータを用いて、ＲＯＭに格納されている処理プログラムを実行することにより、後述する自動呼接続装置１の各種機能を実現している。
【００２５】
通信部１５は、制御部１３の制御の下、物理的な接続回線を通じて、各ＩＰ電話交換機２−１〜２−５との間で、各種メッセージを授受するものである。また、通信部１５が有する物理的な回線インタフェースは１個であり、自動呼確認装置１として１個のＩＰアドレスが割り当てられているものである。
【００２６】
図４において、自動呼接続装置１は、ＯＳ部（例えばＬｉｎｕｘ（登録商標）等）１１とアプリケーション部１２とを少なくとも有して構成される。
【００２７】
ＯＳ部１１は、アプリケーション部１２を構成する各アプリケーションを動作させるためのドライバ部１１ａ、擬似端末設定部１１ｂを少なくとも有する。
【００２８】
擬似端末設定部１１ｂは、システム運用者の操作指示の下、予め設けられている仮想アドレス生成機能を利用して複数のＩＰアドレスを仮想的に生成し、それらＩＰアドレスに擬似的な電話番号を対応付けて、各ＩＰ電話交換機２−１〜２−５毎の擬似的な試験用の通信先（以下、この擬似的な通信先を擬似端末と称して説明する）を設定するものである。
【００２９】
また、擬似端末設定部１１ｂは、システム運用者の操作指示の下、設定した各擬似端末についてのコンフィグレーションをアプリケーション部１２に設定させるものである。これにより、擬似端末がどのＩＰ電話交換機に収容されるものであるか等の設定条件を設定でき、また自動的な呼接続の確認処理を実行させることに寄与できる。
【００３０】
ここで、擬似端末設定部１１ｂによる擬似端末の設定方法は、例えばＩＰエリアス（ＩＰエイリアス）機能を利用する方法がある。このＩＰエリアス機能とは、自動呼接続装置１が有する１個の物理的なインタフェースに対して、複数の仮想的なＩＰアドレスを利用可能にする機能をいう。これにより、自動呼確認装置１の内部において、複数のＩＰアドレスを設けることができる。
【００３１】
また、擬似端末設定部１１ｂは、生成した複数のＩＰアドレスのそれぞれに対して、予め用意した擬似端末用の複数の電話番号を対応付ける。
【００３２】
このように、内部で生成した複数のＩＰアドレスに擬似電話番号を対応付けることで、自動呼確認装置１が内部で管理できる複数の擬似端末を設定することができる。また、その結果、物理的な試験用電話機を複数台設ける必要はないのでコストを抑えることができる。
【００３３】
なお、各ＩＰアドレスに対応付ける擬似電話番号は、各ＩＰ電話交換機２−１〜２−５のそれぞれに収容されることを一意に特定できる番号であり、任意に設定することができる。また、擬似端末設定部１１ｂは、擬似端末を設定した後、監視対象とするＩＰ電話交換機２の追加・削除などにより、割り当てる仮想的なＩＰアドレスの追加・削除や、擬似電話番号の追加・削除が可能であり、また必要に応じてＩＰアドレスに対応付ける電話番号の変更等もできる。
【００３４】
図５は、自動呼接続装置１と各ＩＰ電話交換機２−１〜２−５との間のシステム構成図であり、自動呼接続装置１のＯＳ部１１上に設定する擬似端末の設定イメージを示す。
【００３５】
図５に示すように、擬似端末設定部１１ｂは、１台のＩＰ電話交換機２に対して２個のＩＰアドレスを割り当て、それぞれのＩＰアドレスに異なる擬似電話番号を対応付けるようにする。これにより、１台のＩＰ電話交換機２について、発信用擬似端末と着信用擬似端末とを設定することができる。
【００３６】
例えば、図５において、擬似端末設定部１１ｂは、ＩＰ電話交換機２−１について、ＩＰアドレス「１９２．１６８．１．１」及び擬似電話番号「０３−１１１１−１１１１」の発信用擬似端末１１１Ａと、ＩＰアドレス「１９２．１６８．１．２」及び擬似電話番号「０３−２２２２−２２２２」の着信用擬似端末１１１Ｂとの２台分設定する。
【００３７】
次に、擬似端末設定部１１ｂがアプリケーション部１２に設定するコンフィグレーションの項目例について図６を参照して説明する。
【００３８】
擬似端末設定部１１ｂが設定するコンフィグレーションには、発信用擬似端末（発端末ともいう）用のものと、着信用擬似端末（着端末）用のものとがある。
【００３９】
図６（Ａ）は、発端末側のコンフィグレーションの項目例であり、「収容されているＩＰ電話交換機のホスト名」、「収容されているＩＰ電話交換機のＩＰアドレス」、「自電話番号」、「自端末ＩＰアドレス」、「接続先電話番号リスト」、「発呼間隔」、「通話時間」がある。
【００４０】
ここで、「発呼間隔」とは、当該擬似端末を発端末とする場合に、今回の呼接続終了から次の呼接続要求をするまでの間隔である。また、「通話時間」とは、当該擬似端末を発端末とする場合、呼が接続された着端末との間の通話時間である。
【００４１】
図６（Ｂ）は、着端末側コンフィグレーションの項目例であり、「収容されているＩＰ電話交換機のホスト名」、「収容されているＩＰ電話交換機のＩＰアドレス」、「自電話番号」、「自端末ＩＰアドレス」がある。
【００４２】
図４に戻り、アプリケーション部１２は、例えばＭＧＣＰやＳＩＰ等のシグナリングプロトコルに対応のアプリケーションを有するものであり、発信制御機能部１２ａ、着信制御機能部１２ｂ、画面制御機能部１２ｃを少なくとも有する。
【００４３】
発信制御機能部１２ａは、各発信用擬似端末のコンフィグレーションを参照し、ある発信用擬似端末から全ての着信用擬似端末への通話要求を自動的に巡回させて通話確認を行うものであり、全ての発信用擬似端末について行う。
【００４４】
着信制御機能部１２ｂは、各着信用擬似端末のコンフィグレーションを参照し、ＩＰ電話交換機２−１〜２−５からの呼接続要求に応じて着呼を行うものである。
【００４５】
画面制御機能部１２ｃは、発信制御機能部１２ａにより作成された各通話確認の結果データ（結果ファイル）に基づいて所定の出力表示処理を施し、通話確認結果を画面に出力するものである。
【００４６】
図１に戻り、各ＩＰ電話交換機２−１〜２−５は、図示しないユーザ端末を複数台収容し、受信した呼接続要求に応じて、収容するユーザ端末に対する呼接続処理（サービス）を行うものであり、例えば汎用サーバの情報処理装置などが該当する。
【００４７】
各ＩＰ電話交換機２−１〜２−５は、自動呼接続確認装置１において擬似端末の設定がされると、全ての擬似端末のＩＰアドレスと電話番号とを登録しておく。これにより、自動呼接続装置１による呼接続確認処理にも対応できる。
【００４８】
（Ａ−２）第１の実施形態の動作
次に、本実施形態の呼接続確認システムにおける各ＩＰ電話交換機の呼接続確認動作について図面を参照して説明する。
【００４９】
以下では、まず、擬似端末の設定処理について図７のフローチャートを参照して説明する。
【００５０】
図７において、自動呼接続装置１内部に複数の擬似端末を設定するため、擬似端末設定部１１ｂは、システム運用者の操作指示を取り込み、ＩＰエリアス機能により複数の仮想的なＩＰアドレスを生成する（Ｆ１）。
【００５１】
ＩＰエリアス機能により必要な擬似端末の台数分のＩＰアドレスが生成されると、擬似端末設定部１１ｂは、生成した複数のＩＰアドレスに擬似端末用の電話番号を対応付け、ＯＳ部１１上に複数の擬似端末を設定する（Ｆ２）。このとき、１台のＩＰ電話交換機に対して、発信用と着信用の擬似端末を設定する。
【００５２】
ＯＳ部１１上に必要な台数の擬似端末が設定されると、擬似端末設定部１１ｂは、システム運用者の操作指示を取り込み、それぞれの擬似端末に関するコンフィグレーション（図６の例参照）をアプリケーション部１２に設定する（Ｆ３）。
【００５３】
なお、自動呼接続装置１内部に擬似端末が設定されると、設定した擬似端末をＩＰ電話交換機２−１〜２−５に収容させるために、所定の登録処理により、擬似端末のＩＰアドレスとコンフィグレーションで設定した電話番号とを、ＩＰ電話交換機２−１〜２−５に登録する。
【００５４】
次に、自動的な呼接続確認処理の動作について図８の動作説明図を参照して説明する。
【００５５】
図８には、局内通話による確認動作と局間通話による確認動作とを示し、局内通話では擬似端末１１１Ａから擬似端末１１１Ｂへの通話を例に挙げ、局外通話では、擬似端末１１４Ａから擬似端末１１５Ｂへの通話を例に挙げる。
【００５６】
まず、発信制御機能部１２ａ及び着信制御機能部１２ｂが起動すると、発信制御機能部１２ａは、発端末とする擬似端末のコンフィグレーションを参照し、「接続先電話番号リスト」にリストされている最初の電話番号を接続先として通話要求を対応するＩＰ電話交換機２に行う（Ｆ１１、Ｆ２１）。
【００５７】
このとき、発信制御機能部１２ａは、発端末用コンフィグレーションより、当該発信用擬似端末が収容されているＩＰ電話交換機２を確認し、そのＩＰ電話交換機２に対して、ソースアドレス（発信元ＩＰアドレス）を当該擬似端末のＩＰアドレスとし、接続先の電話番号を指定したＭＧＣＰパケットを送信する。
【００５８】
例えば、図８の局内通話確認の場合、発信制御機能部１２ａは、擬似端末（発端末）１１１ＡのＩＰアドレス「１９２．１６８．１．１」をソースアドレスとし、擬似端末（着端末）１１１Ｂの電話番号を指定したＭＧＣＰパケットを、擬似端末１１１Ａを収容するＩＰ電話交換機２−１に送信する。これにより、擬似端末１１１Ａから擬似端末１１１Ｂへの発信（すなわち「０３−１１１１−１１１１」から「０３−２２２２−２２２２」への発信）と同様のＭＧＣＰのシグナリングを実現することができる。
【００５９】
また例えば、図８の局間通話確認の場合、発信制御機能部１２ａは、擬似端末（発端末）１１４ＡのＩＰアドレス「１９２．１６８．４．１」をソースアドレスとし、擬似端末（着端末）１１５Ｂの電話番号を指定したＭＧＣＰパケットを、擬似端末１１４Ａを収容するＩＰ電話交換機２−４に送信する。これにより、擬似端末１１４Ａから擬似端末１１５Ｂへの発信（すなわち「０４３−１１１−１１１１」から「０６−４４４４−４４４４」への発信）と同様のＭＧＣＰのシグナリングを実現することができる。
【００６０】
自動呼接続装置１から通話要求（ＭＧＣＰシグナリング）が与えられると、ＩＰ電話交換機２は、着端末の電話番号に基づいて通常通りのルーチング処理を行い、着端末若しくは着端末を収容するＩＰ電話交換機２に通話要求を行ない、着端末へ着信する。このとき、着信側の擬似端末は、着信制御機能部１２ｂにより所定の応答処理を行い着信をする（Ｆ１２、Ｆ２２）。
【００６１】
例えば、図８の局内通話確認の場合、ＩＰ電話交換機２−１は、受信したＭＧＣＰパケットの着端末（擬似端末１１１Ｂ）の電話番号「０３−２２２２−２２２２」に基づいて、登録されている電話番号とＩＰアドレスとの対応関係情報（ルーチング情報）を参照してルーチング処理を行い、自装置２−１の収容端末であることを認識する。そして、ＩＰ電話交換機２−１は、通常のルーチング処理と同様に、「０３−２２２２−２２２２」（ＩＰ：１９２．１６８．１．２）に着信する。
【００６２】
また例えば、図８の局間通話確認の場合、ＩＰ電話交換機２−４は、受信したＭＧＣＰパケットの着端末（擬似端末１１５Ｂ）の電話番号に基づいて、登録されている電話番号とＩＰアドレスとの対応関係情報（ルーチング情報）を参照してルーチング処理を行い、着端末を収容するＩＰ電話交換機２−５に転送する。そして、ＩＰ電話交換機２−５が、通常のルーチング処理と同様に、「０６−４４４４−４４４４」（ＩＰ：１９２．１６８．５．２）に着信する。
【００６３】
発信制御機能部１２ａ及び着信制御機能部１２ｂの制御の下、発端末と着端末との間で通話が開始すると、発信制御機能部１２ａは、発端末用のコンフィグレーションより、設定されている「通話時間」だけ通信を行い、「通話時間」が経過すると呼の切断処理を行う（Ｆ１３、Ｆ２３）。
【００６４】
前回の通話が切断されると、発信制御機能部１２ａは、発端末用のコンフィグレーションより、設定されている「発呼間隔」だけ待機し、それが経過すると「接続先電話番号リスト」に次の電話番号を接続先とする呼接続を再び行う（Ｆ１４、Ｆ２４）。このように、呼接続確認処理を繰り返し行うことで、全ての発信用擬似端末の全ての組合せパターンについて呼接続が正常に動作しているかを確認することができる。
【００６５】
続いて、発信制御機能部１２ａの呼接続確認結果を出力する出力処理について図９の動作説明図を参照して説明する。
【００６６】
発信制御機能部１２ａは、各呼接続の確認を行うと、その確認結果を試験結果ファイルに書き込む（Ｆ３１）。
【００６７】
ここで、発信制御機能部１２ａが確認するのは、通話中状態まで遷移したか否かを確認するものとし、通話中状態まで遷移した場合にＯＫとし、シグナリングのタイムアウトやＩＰ電話交換機２からのシグナリングの応答でＮＧが返却された場合はＮＧとする。
【００６８】
発信制御機能部１２ａが試験結果ファイルを作成すると、画面制御機能部１２ｃは、周期的に又は常時試験結果ファイルを読み込み（Ｆ３２）、その結果データを用いて所定の出力表示処理を施してモニタに出力する（Ｆ３３）。
【００６９】
なお、所定の出力表示処理は、種々の方法を適用することができるが、例えば本実施形態では、図９に示すようにマトリックス表示により画面処理が行う。
【００７０】
このように、マトリックス表示することで、ＩＰ電話交換機２が呼接続サービスを正常に提供しているか否かを一目で確認することができる。その結果、保守者による異常の早期検知及び早期保守ができ、サービス提供不可期間の短縮ができる。
【００７１】
また、発信制御機能部１２ａが、定期的に又は常時、呼接続確認を行うことでリアルタイムに結果を表示でき、また一旦障害が発生した後に所定の復旧プロセスが正常に機能し、障害が回復したことも確認することができる。
【００７２】
例えば、図９に示す画面例では、ＩＰ電話交換機２−１〜２−５のそれぞれが発端末を収容する場合と着端末を収容する場合の呼接続サービスが正常に行われているかどうかを示し、ＩＰ電話交換機２が正常に動作している場合には「ＯＫ」が表示され、異常が生じていれば「ＮＧ」が表示され、呼接続できない場合には「−」が表示される。
【００７３】
例えば、図９の画面例において、ＩＰ電話交換機（＃２）からＩＰ電話交換機（＃３）に対する呼接続確認結果は「ＮＧ」であるから、何らかの異常が生じていることが分かる。
【００７４】
また例えば、ＩＰ電話交換機（＃５）からＩＰ電話交換機（＃３）に対する呼接続確認結果は「−」であるから呼接続できなかったと分かる。
【００７５】
（Ａ−３）第１の実施形態の効果
以上のように、本実施形態によれば、自動呼接続装置１を設けることにより、ＩＰ電話交換機２が提供する呼接続サービスが正常に実施されていることを自動的に監視することができるので、人手を介さず迅速に行うことができる。その結果、人的な処理負担を減少させ、監視に要する時間及びコストを減少させることができる。
【００７６】
また、本実施形態によれば、復旧プロセスが正常に機能していることも自動的に確認することができる。
【００７７】
例えば、ＩＰ電話交換機の台数が２０〜３０台程度の場合、１台のＩＰ電話交換機が障害から復旧した場合、障害となったＩＰ電話交換機の自局内呼接続確認、及び又は、その他のＩＰ電話交換機に収容されている端末から障害となったＩＰ電話交換機に収容されている端末への呼接続確認を人手を介さずに、数分で行うことができる。
【００７８】
（Ｂ）他の実施形態
上述した第１の実施形態では、ＩＰ電話ネットワーク３内の「０ａｂ〜ｊ」番号による自局内呼接続及び局間呼接続の確認方式について説明したが、本システムを使用すれば、コンフィグレーションの設定を変更することにより、「０５０」番号、フリーダイヤルサービス「０１２０」等のＩＰ電話サービスの呼接続確認にも適用可能である。
【００７９】
また、上述した第１の実施形態では、ＩＰ電話交換機が提供する呼接続サービスを確認する場合を説明したが、呼接続サービスに限定されず、他のアプリケーションが正常に動作しているか否かを確認するようにしてもよい。
【００８０】
第１の実施形態の変形例として、自動呼接続装置１が、障害が生じた確認結果についてその障害内容をＩＰ電話交換機２やデータベース等から取得できるようにしても良い。
【図面の簡単な説明】
【００８１】
【図１】第１の実施形態の呼接続確認システムの全体構成を示す図である。
【図２】従来の呼接続確認システムの全体構成を示す図である。
【図３】第１の実施形態の呼接続確認装置のハードウェア構成図である。
【図４】第１の実施形態の呼接続確認装置が実現する機能ブロック図である。
【図５】第１の実施形態の擬似端末の設定イメージを示す図である。
【図６】第１の実施形態のコンフィグレーションの項目例を示す図である。
【図７】第１の実施形態の擬似端末の設定処理を示すフローチャートである。
【図８】第１の実施形態の呼接続確認動作を説明する図である。
【図９】第１の実施形態の確認結果出力処理を説明する図である。
【符号の説明】
【００８２】
１…呼接続確認装置、２（２−１〜２−５）…ＩＰ電話交換機（＃１〜＃５）、１１…ＯＳ部、１１ｂ…擬似端末設定部、１２…アプリケーション部、１２ａ…発信制御機能部、１２ｂ…着信制御機能部、１２ｃ…画面制御機能部、１３…制御部、１４…記憶部、１１１Ａ〜１１５Ａ…発信用擬似端末、１１１Ｂ〜１１５Ｂ…着信用擬似端末。
【図１】
0004667189.tif 000002
【図２】
0004667189.tif 000003
【図３】
0004667189.tif 000004
【図４】
0004667189.tif 000005
【図５】
0004667189.tif 000006
【図６】
0004667189.tif 000007
【図７】
0004667189.tif 000008
【図８】
0004667189.tif 000009
【図９】
0004667189.tif 000010